(57)【要約】【課題】多方向からプラグを差込口に差込むことができ、体積の大きなプラグが相隣する場合にも互いに干渉せず、差込むことのできるプラグの数量を減少することなく、空間上の無駄を形成しない、多穴コンセント用弾力スライドカバー付コンセントケースの提供。【解決手段】座体と、カバー体を含み、前記座体上に、滑動部を窪み状に形成し、該各滑動部上表面及び側面上にそれぞれコンセントの差込口を設け、前記座体内部に、該差込口に対応する共用導電端子を設置し、前記カバー体は、前記座体の滑動部上に嵌合され、該カバー体上に、前記各滑動部の上表面及び側面上に設けられた各組の差込口の位置に対応する上開孔と横開孔を開設し、該上開孔と横開孔各組の位置は、同一の垂直切断面上になく、さらに、前記座体にバネを固設し、前記カバー体に該バネの一端を連結して固定し、前記カバー体を前記滑動部上でスライド移動させると、前記バネが受動し、前記カバー体に復位弾力を備えさせ、外力が取り除かれると、自動的に元の位置へ戻ることができる。【選択図】　　図１
0003099065.tif 000002
【実用新案登録請求の範囲】
【請求項１】
座体と、カバー体を含み、前記座体上に、滑動部を窪み状に形成し、該各滑動部上表面及び側面上にそれぞれコンセントの差込口を設け、前記座体内部に、該差込口に対応する共用導電端子を設置し、前記カバー体は、前記座体の滑動部上に嵌合され、該カバー体上に、前記各滑動部の上表面及び側面上に設けられた各組の差込口の位置に対応する上開孔と横開孔を開設し、該上開孔と横開孔各組の位置は、同一の垂直切断面上にあらず、さらに、前記座体にバネを固設し、前記カバー体に該バネの一端を連結して固定し、前記カバー体を前記滑動部上でスライド移動させると、前記バネが受動し、前記カバー体に復位弾力を備えさせることを特徴とする、二面上に差込口を備えた多穴コンセント用の弾力スライドカバー付コンセントケース。
【考案の詳細な説明】
【０００１】
【考案の属する技術分野】
本考案は、二表面上に差込口を備えた多穴コンセントのケースに関し、特に、多方向におけるプラグの安全な差込み使用を可能にする、各差込口に対する段階式開閉機能と、移動位置の復位弾力を備えた弾力スライドカバー付コンセントケースの構造に関する。
【０００２】
【従来の技術】
現在一般的な多穴コンセントは、図１０に示すように、座体Ａ１の上表面に複数組の差込口Ａ２が開設され、これら複数組の差込口Ａ２は等間隔で排列され、該差込口Ａ２各組間の間隔は、一般的な家電製品のプラグを差込んで使用する場合、互いに干渉することなく設計されている。しかし、変圧器の電源プラグのような、体積の大きなプラグＢを差込んで使用する際、往々にしてプラグＢの体積が大きすぎ、相隣する別の差込口Ａ２を塞いでしまい、塞がれた差込口Ａ２を使用することができなくなり、座体Ａ１上に差込むことのできるプラグＢの数量が減少し、差込口Ａ２の空間上の無駄が発生する。そこで、差込口Ａ２各組間の距離を広げる方法を採ると、座体Ａ１の長さも相対して増加し、さらに体積も相対して増加するため、製造コストが上がってしまうだけでなく、場所を取ってしまうため、使用上の利便性にも欠け、理想的とは言えない。
【０００３】
【考案が解決しようとする課題】
前記の問題点に鑑みて、本考案の目的は、多方向からプラグを差込口に差込むことができ、相隣する体積の大きなプラグが互いに干渉することなく、差込むことのできるプラグの数量を減少することなく、空間上の無駄を形成しない、多穴コンセント用弾力スライドカバー付コンセントケースを提供することにある。
【０００４】
【課題を解決するための手段】
座体に、窪み状の滑動部を形成し、該滑動部の二表面にコンセントの差込口を形成し、カバー体を前記滑動部上に嵌合し、前記座体内部にバネを設置し、該バネの一端に前記カバー体を連結し、該カバー体は、前記バネの弾力性により弾力的に滑動し、前記カバー体を前記滑動部上でスライド移動することで、多段階式の位置選択を可能にし、前記カバー体の位置を変更することにより、プラグを異なる方向から差込口に差込むことを可能にし、一表面の差込口にプラグが差込まれると、別表面の差込口は自動的に遮断され、誤ってプラグを同一の導電端子に差込むことを防止し、前記カバー体に加えられた外力が取り除かれると、該カバー体は、前記バネの復元力で自動的に元の位置に戻る。
【０００５】
【考案実施の形態】
以下、本考案の弾力スライドカバー付コンセントケースについて、図面に基づいて詳細に説明する。
図１、図２及び図３に本考案の実施例一を示す。本考案は、主に座体１とカバー体２を係合して成り、うち、座体１は、窪み状の若干組の滑動部１１を備え、該各滑動部１１は、上方向に開口した上差込口１２と、側面方向に開口した横差込口１３をそれぞれ含み、さらに前記滑動部１１は、表面の一方にスライド溝１４を備え、前記座体１内部の各滑動部１１に相対する位置に、共用導電端子１５を設け、各共用導電端子１５の導電部位は、同時に上方向開口部１５１と、側面方向開口部１５２を備え、各導電端子１５は、上差込口１２または横差込口１３に差し込まれた外部のプラグに導電する。前記滑動部１１の各組差込口の開設方向と垂直となる辺縁部に、内側へ傾斜した窪み状の嵌入溝１６を設け、前記滑動部１１の内側辺縁部の一方に固定端１７を突出させて形成し、該固定端１７上にバネ１８を被覆して一端を固定する。
【０００６】
カバー体２は、前記滑動部１１上に嵌合し、二段階式で横方向にスライド移動し、該カバー体２の内縁部の前記滑動部１１内側の固定端１７に対応する位置に、バネ固定端２１を設け、該バネ固定端２１に、前記バネ１８の別の一端を被せて固定し、前記カバー体２は、前記滑動部１１上に設けられた上差込口１２と横差込口１３に対応する位置に、上開孔２２と横開孔２３を形成し、該上開孔２２と横開孔２３は、相互にずれた状態で形成され、即ち、上開孔２２と横開孔２３の位置は、同一の垂直切断面上になく、前記カバー体２は、二段階式のスライド移動で位置を選択する構造であるため、該カバー体２の上開孔２２と、前記滑動部１１の上差込口１２が相互に正対するとき、該カバー体２の横開孔２３が、前記滑動部１１の横差込口１３を遮蔽し、反対に、該カバー体２の横開孔２３と、前記滑動部１１の横差込口１３が相互に正対するときは、該カバー体２の上開孔２２が、前記滑動部１１の上差込口１２を遮蔽する。該カバー体２の前記滑動部１１に形成された嵌入溝１６に対応する位置に、該嵌入溝１６の傾斜に対応する傾斜面を備えた嵌入端２４を設け、該嵌入端２４を前記嵌入溝１６内に嵌合し、カバー体２を滑動部１１に係合する。
【０００７】
使用時は、図４及び図５に示すように、前記カバー体２を横方向に移動しない状態においては、第一の前記滑動部１１上の該カバー体２は、第一段階の選択状態にあり、該カバー体２の上面に開口している上開孔２２と、前記滑動部１１の上差込口１２が対合し、プラグＢを差込むことができる。このとき、前記カバー体２の横開孔２３が、前記滑動部１１の横差込口１３を遮蔽し、別のプラグＢを誤って同じ共用導電端子１５に差込んでしまう危険を回避できる。
【０００８】
また、第二の滑動部１１上のカバー体２を、第二段階の選択状態とする場合、図６に示すように、該カバー体２を横方向にスライド移動させ、このとき、該カバー体２の嵌入端２４が、前記滑動部１１の嵌入溝１６に沿って移動し、該カバー体２のバネ固定端２１が、前記滑動部１１のスライド溝１４内でスライド移動し、同時に、バネ１８を圧縮し、前記カバー体２の側面上に形成された横開孔２３と、前記滑動部１１の横差込口１３が対合し、別のプラグＣを差込んで使用することができ、このとき、前記カバー体２の上開孔２２が、前記滑動部１１の上差込口１２を遮蔽する状態となる。
【０００９】
このように、前記カバー体２を二段階の選択移動で位置を変えることにより、プラグＢ及びＣを相隣するコンセント差込口間で差し込み方向を選択して使用することができ、座体１の長さを長くする必要なくして、体積の大きなプラグＢとＣを同時に相隣して差込むことができ、空間上の無駄を省くことができる。また、プラグＢ、Ｃを抜くと、前記第二の滑動部１１上のカバー体２は、前記バネ１８の弾力性の作用により、自動的に元の位置へ戻り、第二の滑動部１１は、上方向の開孔２２と上差込口１２が対合する状態を回復し、横開孔２３が横差込口１３を遮蔽した状態となる。
【００１０】
図７に本考案の実施例二を示す。前記滑動部１１内部の辺縁部に固定端１７Ａを突出させて形成し、該固定端１７Ａ上にバネ１８Ａを被覆して一端を固定し、前記カバー体２の上方向内縁部に前記固定端１７Ａに相対するバネ固定端２１Ａを設け、該バネ固定端２１Ａに、前記バネ１８Ａの別の一端を被覆して固定し、カバー体２をスライド移動させると、前記バネ１８Ａが引き伸ばされ、外力を受けなくなると、該バネ１８Ａの弾力性により、前記カバー体２は、元の位置に自動的に戻り、前述と同等の機能が得られる。
【００１１】
図８に本考案の実施例三を示す。前記滑動部１１内部の辺縁部に固定端１７Ｂを突出させて形成し、該固定端１７Ｂ上にバネ１８Ｂを被覆して一端を固定し、該バネ１８Ｂはひねりバネとし、前記カバー体２の上方向内縁部に前記固定端１７Ｂに相対するバネ固定端２１Ｂを設け、該バネ固定端２１Ｂに、前記バネ１８Ｂの別の一端を被覆して固定し、カバー体２をスライド移動させると、前記バネ１８Ｂにひねりが加わり、外力を受けなくなると、該バネ１８Ｂの弾力性により、前記カバー体２は元の位置に自動的に戻り、前述と同等の機能が得られる。
【００１２】
図９に本考案の実施例四を示す。座体３の滑動部３１のスライド移動可能距離を長く設け、カバー体４のバネ固定端４１に、バネ３８の一端を被覆して固定し、該バネ３８の別の一端を、前記座体３の固定端３７に固定し、前記バネ３８が完全に伸び、圧縮されていない状態を第一段階の選択位置とし、前記カバー体４がこの第一段階の選択位置にあるとき、前記滑動部３１上表面の上差込口３２及び横差込口３３と、前記カバー体４上表面の上開孔４２及び側面上の横開孔４３は、相互に遮蔽した状態を呈し、普段プラグを差込んで使用しないとき、埃の侵入や、差し込みミスを防ぐことができる。前記カバー体４を第二段階の選択位置にして使用するときは、該カバー体４を横方向にスライド移動させ、前記バネ３８を半分の位置まで圧縮し、前記滑動部３１の上表面の上差込口３２と、前記カバー体４の上開孔４２が対合し、プラグを差込んで使用することができ、このとき、前記滑動部３１の側面上の横差込口３３と、前記カバー体４の横開孔４３は、共に遮蔽された状態となり、他のプラグを誤って同一の導電端子に差込んでしまうミスを防ぐことができる。
【００１３】
また、第三段階の選択位置を設けてもよく、即ち、前記バネ３８を完全に圧縮した状態まで前記カバー体４を横方向にスライド移動させ、このとき、前記カバー体４の側面上の横開孔４３と、前記滑動部３１の側面上の横差込口３３が対合し、別のプラグを差込んで使用することができ、このとき、前記カバー体４の上表面の上開孔４２と、前記滑動部３１の上表面の上差込口３２は、相互に遮蔽された状態を呈する。このように、カバー体４の選択位置を三段階方式にすることもできる。
【００１４】
【考案の効果】
本考案によれば、座体の上表面及び側面上にコンセント差込口を設置することができ、カバー体の移動により、異なる方向の差込口を選択してプラグを差込むことができ、堆積の大きいプラグを差込んでも、相隣する別の差込口を塞ぐことなく、正常に使用することを可能にする。また、前記カバー体は、バネの利用による復位弾力を備え、プラグを差込口から抜いたとき、カバー体が元の位置へ自動的に戻る構造である。さらに、前記カバー体は、三段階方式のスライド移動で位置の選択をすることもでき、常態においては、上表面及び側面上の差込口をすべて遮蔽し、一つの差込口を使用するときは、カバー体が移動され、復位弾力を持ち、この復位弾力により、差込口不使用時には、上表面及び側面上の差込口を自動的に遮蔽常態に保つことができる。
【図面の簡単な説明】
【図１】本考案の実施例一の構造を示す立体斜視図。
【図２】本考案の共用導電端子の実施例を示す立体透視図。
【図３】本考案の実施例一の構造を示す側面透視図。
【図４】本考案の実施例一の構造を示す正面透視図。
【図５】本考案の使用時の状態を示す立体斜視図。
【図６】本考案のカバー体をスライド移動させ、バネを圧縮した状態を示す正面透視図。
【図７】本考案の実施例二の構造を示す正面透視図。
【図８】
本考案の実施例三の構造を示す上面透視図。
【図９】本考案の実施例四の構造を示す立体斜視図。
【図１０】従来の多穴コンセントの使用状態を示す立体斜視図。
【符号の説明】
１　　　　座体
１１　　　滑動部
１２　　　上差込口
１３　　　横差込口
１４　　　スライド溝
１５　　　導電端子
１５１　　上方向開口部
１５２　　側面方向開口部
１６　　　嵌入溝
１７　　　固定端
１８　　　バネ
２　　　　カバー体
２１　　　バネ固定端
２２　　　上開孔
２３　　　横開孔
１７Ａ　　固定端
１８Ａ　　バネ
２１Ｂ　　バネ固定端
３　　　　座体
３１　　　滑動部
３２　　　上差込口
３３　　　横差込口
３７　　　固定端
３８　　　バネ
４　　　　カバー体
４１　　　バネ固定端
４２　　　上開孔
４３　　　横開孔
Ａ１　　　座体
Ａ２　　　差込口
Ｂ　　　　プラグ
Ｃ　　　　プラグ
【図１】
0003099065.tif 000003
【図２】
0003099065.tif 000004
【図３】
0003099065.tif 000005
【図４】
0003099065.tif 000006
【図５】
0003099065.tif 000007
【図６】
0003099065.tif 000008
【図７】
0003099065.tif 000009
【図８】
0003099065.tif 000010
【図９】
0003099065.tif 000011
【図１０】
0003099065.tif 000012